(57)【要約】【課題】樹木に近接して配電線が架設される場合において、樹木の枝葉が経時的に配電線に近接することを効果的に防止し、枝葉の伐採の頻度を少なくすることが可能な枝葉ガード設置装置を提供する。【解決手段】架線（配電線２）が架設された柱状体（電柱３）に固定されて、ガードを必要とする側方へ突出するように設けられると共に上下方向に延設されたＬ字状腕金５と、隣り合う柱状体に設けられたＬ字状腕金間に設置され、架線に対して水平となる位置から上下の所定幅に亘って樹木４と架線との間に張設される枝葉進入阻止具６とを設ける。【選択図】        図１
2010226908.tif 000002
【特許請求の範囲】
【請求項１】
架線が架設された柱状体に固定されて、ガードを必要とする側方へ突出するように設けられると共に上下方向に延設されたＬ字状腕金と、
隣り合う柱状体に設けられた前記Ｌ字状腕金間に設置され、前記架線に対して水平となる位置から上下の所定幅に亘って樹木と前記架線との間に張設される枝葉進入阻止具と
を具備することを特徴とする枝葉ガード用設置装置。
【請求項２】
前記枝葉進入阻止具は、隣り合う柱状体に設けられた前記Ｌ字状腕金間に上下に所定の間隔で架設された複数のワイヤと、前記ワイヤに巻きつけられる線状材又は帯状材にその長手方向に対して略直交する方向に突設された多数の針状部が設けられた針状形成体とを具備することを特徴とする請求項１記載の枝葉ガード用設置装置。
【請求項３】
前記枝葉進入阻止具は、隣り合う柱状体に設けられた前記Ｌ字状腕金間に上下に所定の間隔で張設されると共にその長手方向に対して略直交する方向に多数の針状部が一体に突設された張設体で構成されていることを特徴とする請求項１記載の枝葉ガード用設置装置。
【請求項４】
前記枝葉進入防止具は、隣り合う柱状体に設けられた前記Ｌ字状腕金間に設置され、前記架線に対して水平となる位置から上下の所定幅に亘って設けられたネット状部材であることを特徴とする請求項１記載の枝葉ガード用設置装置。
【請求項５】
前記Ｌ字状腕金は、前記架線が取り付けられる箇所よりも下方の位置で前記柱状体に固定され、ガードが必要となる側方へ突出した後に、上方に向かって延設されるもの、又は、前記架線が取り付けられる箇所よりも上方の位置で前記柱状体に固定され、ガードが必要となる側へ突出した後に、下方に向かって延設されるものであることを特徴とする請求項１記載の枝葉ガード用設置装置。
【発明の詳細な説明】
【技術分野】
【０００１】
この発明は、樹木が近接している配電線に対して、樹木の成長に伴う枝葉の接近を防止するために有用な枝葉ガード用設置装置に関する。
【背景技術】
【０００２】
配電線が施設されている箇所は、樹木が配電線に近接している箇所も多く、樹木の生長と共に枝葉が配電線に接触する不都合が生じるため、周期的に枝葉を伐採するようにしている。このため、枝葉の周期的な伐採に要する費用が膨大となっている。
また、樹木が近接している箇所が多い場合には、伐採作業が間に合わず、樹木の配電線への接触による配電線事故が生じることから、このような箇所においては、配電線に防護管やプロテクタを取り付けて対応するようにしている（特許文献１，２参照）。
【先行技術文献】
【特許文献】
【０００３】
【特許文献１】特開２００３−２８９６１５号公報
【特許文献２】特開２００３−１８９４３２号公報
【発明の概要】
【発明が解決しようとする課題】
【０００４】
しかしながら、上述のように、配電線に防護管やプロテクタを取り付ける従来の方法を採用しても、電柱には、配電線を含む多数の架線が設置されており、架線毎に防護管やプロテクタを取り付けていたのでは、取り付け自体に多大な労力と費用がかかり、また架線自体を防護することはできても、樹木の枝葉が架線に近接することは避けられず、伐採の周期を短くできるわけではないので、十文な対策とはなっていない。
【０００５】
また、従来においては、樹木の接触や倒木による停電を防止するため、配電線の上方に倒木ガードワイヤを架設し、倒れようとする樹木をこの倒木ガードワイヤで受けて配電線を防護する対策も採用されているが、樹木の生長に伴って、配電線の側方から枝葉が近接することを防ぐことはできず、このような対策においても伐採作業の頻度を減らすことはできない。
【０００６】
本発明は係る事情に鑑みてなされたものであり、配電線に近接する樹木に対して、樹木の枝葉が経時的に配電線に近接することを効果的に防止し、枝葉の伐採の頻度を少なくすることが可能な枝葉ガード用設置装置を提供することを主たる課題としている。
【課題を解決するための手段】
【０００７】
上記課題を達成するために、本発明に係る枝葉ガード用設置装置は、架線が架設された柱状体に固定されて、ガードを必要とする側方へ突出するように設けられると共に上下方向に延設されたＬ字状腕金と、隣り合う柱状体に設けられた前記Ｌ字状腕金間に設置され、前記架線に対して水平となる位置から上下の所定幅に亘って樹木と前記架線との間に張設される枝葉進入阻止具とを具備することを特徴としている。
【０００８】
したがって、架線が樹木に近接して架設されている場合においても、架線と樹木との間に架線に対して水平となる位置から上下の所定幅に亘って枝葉進入阻止具が設けられるので、樹木が生長した場合においても、枝葉の架線への接近を枝葉進入阻止具によって阻止することが可能となる。このため、樹木の伐採期間を延ばしても支障がなくなり、伐採作業の頻度を減らすことが可能となる。
【０００９】
このような枝葉進入阻止具としては、色々な態様が考えられるが、例えば、隣り合う柱状体に設けられた前記Ｌ字状腕金間に上下に所定の間隔で張設された複数のワイヤと、前記ワイヤに巻きつけられる線状材又は帯状材にその長手方向に対して略直交する方向に突設された多数の針状部が設けられた針状形成体とを具備するものであってもよい。
【００１０】
このような構成においては、針状形成体が巻き付けられたワイヤが、隣り合う柱状体のＬ字状腕金間に、架線に対して水平となる位置から上下の所定幅に亘って所定の間隔で複数張設されるので、ワイヤ間にはワイヤに取り付けられた針状形成体の多数の針状部が突出することとなり、成長する樹木の枝葉がワイヤ間を通って架線側に進入する不都合を抑えることができる。
【００１１】
また、本発明に係る枝葉進入阻止具を、隣り合う柱状体に設けられたＬ字状腕金間に上下に所定の間隔で張設されると共にその長手方向に対して略直交する方向に多数の針状部が一体に突設された張設体で構成するようにしてもよい。
【００１２】
このような構成においては、針状部が多数突設された張設体が、隣り合う柱状体のＬ字状腕金間に架線に対して水平となる位置から上下の所定幅に亘って所定の間隔で複数張設されるので、張設体間には、これと一体をなす多数の針状部が突出されることになり、成長する樹木の枝葉がワイヤ間を通って架線側に進入する不都合を抑えることができる。
【００１３】
さらに、本発明に係る枝葉進入防止具は、隣り合う柱状体に設置され、前記架線に対して水平となる位置から上下の所定幅に亘って設けられたネット状部材で構成するようにしてもよい。
このような構成においても、ネット状部材が架線と樹木との間の障壁を構成することとなるため、樹木が生長してもその枝葉の架線への接近をネット状部材で阻止することが可能となる。
【００１４】
尚、上述したＬ字状腕金は、前記架線が取り付けられる箇所よりも下方の位置で前記柱状体に固定され、ガードが必要となる側方へ突出した後に、上方に向かって延設されるものであっても、又は、前記架線が取り付けられる箇所よりも上方の位置で前記柱状体に固定され、ガードが必要となる側へ突出した後に、下方に向かって延設されるものであるであってもよい。
【発明の効果】
【００１５】
以上述べたように、本発明に係る枝葉ガード用設置装置は、架線が架設されている柱状体に固定されたＬ字状腕金と、隣り合う柱状体に設けられたＬ字状腕金間に設置され、架線に対して水平となる位置から上下の所定幅に亘って設置された進入阻止具とを具備して構成されているので、架線と樹木との間に侵入阻止具を設置することにより、樹木が生長しても樹木の枝葉が進入阻止具により架線に接近することを妨ぐことができ、これにより、樹木の伐採作業の頻度を減らすことが可能となる。
【００１６】
尚、上述の進入阻止具として、隣り合う柱状体に設けられたＬ字状腕金間に上下に所定の間隔で架設された複数のワイヤと、ワイヤに巻きつけられる線状材又は帯状材にその長手方向に対して略直交する方向に突設された多数の針状部を取付けて構成される針状形成体とを具備して構成するようにすれば、上下に間隔を開けて架設されたワイヤ間に針状形成体の針状部が突出することになるので、成長した樹木の枝葉がワイヤ間から架線に向かって進入することを阻止することができ、また、ワイヤと針状形成体が別体をなしているので、ワイヤに取り付ける針状形成体の位置や設置密度を現場に合わせて調整することが可能となる。
【００１７】
また、進入防止具として、隣り合う柱状体に設けられたＬ字状腕金間に上下に所定の間隔で架設されると共にその長手方向に対して略直交する方向に多数の針状部が一体に突設された張設体で構成するようにすれば、張設体間に針状部が突出されることになるので、成長した樹木の枝葉が張設体間から架線に向かって進入することを阻止することができ、また、ワイヤと針状部とが一体をなしているので、張設体を隣り合うＬ字状腕金間に所定の間隔で取り付けるだけで進入防止具の設置が完了することになり、設置作業が容易となる。
【００１８】
さらに、進入阻止具を、隣り合う柱状体に設置されて、架線に対して水平となる位置から上下の所定幅に亘って設けられたネット状部材で構成するようにすれば、樹木と架線との間にネット状部材による障壁が形成されることになるので、樹木が生長してもその枝葉が架線に接近することがなくなる。
【００１９】
尚、上述したＬ字状腕金は、架線が取り付けられる箇所よりも下方の位置で柱状体に固定され、ガードが必要となる側方へ突出した後に、上方に向かって延設されるように設置しても、架線が取り付けられる箇所よりも上方の位置で柱状体に固定され、ガードが必要となる側へ突出した後に、下方に向かって延設されるように設置してもよいため、現場の状況に合わせて柱状体に取り付けることが可能となる。
【図面の簡単な説明】
【００２０】
【図１】図１は、本発明に係る枝葉ガード用設置装置を示す架線の軸方向から見た図である。
【図２】図２は、同上の枝葉ガード用設置装置を架線と直角となる樹木側から見た図である。
【図３】図３（ａ）は、同上の枝葉ガード用設置装置を上方から見た図であり、図３（ｂ）は、枝葉進入阻止具の針状形成体を示す拡大斜視図であり、図３（ｃ）は、ワイヤに針状形成体を巻きつける状態を示す図である。
【図４】図４は、枝葉ガード用設置装置の変形例を示す図である。
【図５】図５は、枝葉進入阻止具の他の例を示す図であり、（ａ）は、枝葉ガード用設置装置を架線と直角となる樹木側から見た図であり、（ｂ）は、枝葉進入阻止具を示す拡大図である。
【図６】図６は、枝葉進入阻止具の他の例を示す図である。
【図７】図７は、枝葉ガード用設置装置の他の変形例を示す図である。
【発明を実施するための形態】
【００２１】
以下、本発明に係る実施例を図面を用いて説明する。
【００２２】
図１乃至図３において、本発明に係る枝葉ガード用設置装置１の構成例が示されている。この例においては、架線が配電線２であり、また、柱状体として電柱３を用いた例が示されている。
枝葉ガード用設置装置１は、隣り合う電柱３間に架設された配電線２に樹木４が近接している箇所に設けられるもので、隣合う電柱３のそれぞれに設けられたＬ字状腕金５と、このＬ字状腕金５間に張設された枝葉進入阻止具６とを有して構成されている。
【００２３】
この例では、電柱３の鉛直方向に所定の間隔でピン碍子８が取付具７を介して複数設置され、それぞれのピン碍子８の頭部に配電線２をバインド線により固定することにより、複数の配電線２が上下方向に所定の間隔で保持されている。
【００２４】
このような配電線２の取付状態において、Ｌ字状腕金５は、配電線２が取り付けられる箇所よりも下方の位置で電柱３に固定され、電柱３から少なくとも樹木４がある側へ水平方向に突設された水平腕金部５ａと、この水平腕金部５ａの先端部から上方に向かって延設された鉛直腕金部５ｂとを備えており、鉛直腕金部５ｂは、最の下側の配電線２に対して水平となる部位よりも下側の位置から、最も上側の配電線２に対して水平となる部位よりも上側の位置にかけて設けられている。また、Ｌ字状腕金５は、電柱３に対してアームタイ１４により下方から堅固に保持されている。
【００２５】
枝葉進入阻止具６は、隣り合うＬ字状腕金５の鉛直腕金部５ｂ間に張設されたワイヤ１１と、このワイヤ１１に巻き付けられる針状形成体１２とから構成されている。
【００２６】
ワイヤ１１は、Ｌ字状腕金５の鉛直腕金部５ｂに引留金具９を介して取り付けられ、隣り合うＬ字状腕金５の鉛直腕金部５ｂ間に上下方向に所定の間隔で複数張設されており、この例では、４本張設されている。また、針状形成体１２は、図３（ｂ）に示されるように、ワイヤ１１に巻き付けられる線状材又は帯状材（この例では線状材）１２ａにその長手方向に対して略直交する方向に突設（この例では放射状に突設）された多数の針状部１２ｂを取付けて構成されている。それぞれの針状部１２ｂは、ワイヤ１１と同じ鋼材で構成しても、硬質の樹脂材や、弾性材によって構成してもよい。
【００２７】
ワイヤ１１の設置間隔は、これに巻き付けられる針状形成体１２の針状部１２ｂの長さを考慮し、隣合うワイヤ間に樹木４の枝葉が進入できないように針状部１２ｂが突出するよう適宜現場の状況にあわせて調整すればよく、これらワイヤ１１は、配電線２に対して水平となる位置から上下の所定幅に亘って張設されている。
すなわち、この例では、最も下側のワイヤ１１が、最も下側の電線２よりも下側に位置するように、鉛直腕金部５ｂに取り付けられており、また、最も上側のワイヤが、最も上側の電線よりも上側に位置するように鉛直腕金部５ｂに取り付けられている。
【００２８】
したがって、上述の構成によれば、Ｌ字状腕金５の鉛直腕金部５ｂに取り付けられた枝葉進入阻止具６が樹木４と電線２との間に電線に対して水平となる位置から上下の所定幅に亘って設置されているので、樹木４が生長してその枝葉が電線側に接近してきた場合でも、ワイヤ１１に巻き付けられた針状形成体１２によりワイヤ間を進入しようとする樹木４の枝葉の進入が阻止され、樹木４の枝葉が配電線２に到達することがなくなる。このため樹木４の枝葉と配電線との接触による地落等の障害の発生を回避することが可能となる。
【００２９】
また、上述の構成によれば、枝葉進入阻止具６が、ワイヤ１１とこれに巻き付けられる別体の針状形成体１２とにより構成されているので、例えば、電柱３間の一方の電柱寄りに樹木４が偏って存在する場合においては、その部分にのみ針状形成体１２をワイヤ１１に取り付ければよいため、針状形成体１２の設置位置や設置範囲を任意に調整することが可能となる。
【００３０】
上述の構成においては、配電線２が電柱３に対して鉛直方向に並設されている場合の例を示したが、配電線２を支持するピン碍子８を水平方向に複数設置した腕金１５を電柱３に取り付け、このピン碍子８に配電線２をバインド線により固定することにより配電線２を水平方向に複数並設する場合においては、図４に示されるように、Ｌ字状腕金５の水平腕金部５ａの樹木側への延設寸法を大きくし、鉛直腕金部５ｂをピン碍子８が取り付けられた腕金１５に対して水平となる位置から上下の所定幅に亘って延設させ、この鉛直腕金部５ｂに上下方向に所定の間隔でワイヤ１１を張設し（この例では、配電線２に対して、略水平となる位置とそれより上方及び下方に位置する計３本のワイヤ１１を配設し）、このワイヤ１１に針状部１２ｂが取り付けられた針状形成体１２を巻き付けることで、樹木４と送電線と２の間に枝葉進入阻止具６を張設する構成にするとよい。
【００３１】
また、以上の構成においては、枝葉進入阻止具６が、ワイヤ１１と、これに巻き付けられる針状形成体１２とにより構成した例を示したが、これらを一体化させたものであってもよい。即ち、図５に示されるように、枝葉進入阻止具６を、隣り合う電柱３体に設けられたＬ字状腕金５間に上下に所定の間隔で張設されると共にその長手方向に対して略直交する方向（放射方向）に多数の針状部１３ａが一体に突設された張設体１３で構成するようにしてもよい。
【００３２】
このような構成においては、隣り合う電柱３に設けられたＬ字状腕金間に張設体１３を上下に所定の間隔で取り付ければ、張設体１３間に針状部１３ａが突出された状態で設置が完了するので、成長した樹木４の枝葉が張設体１３間から配電線２に向かって進入することを阻止することができ、また、設置作業が容易となる。
【００３３】
さらに、枝葉進入防止具６は、図６に示されるように、隣り合う電柱３に設けられた前記Ｌ字状腕金５の鉛直腕金部５ｂ間に設置され、配電線２に対して水平となる位置から上下の所定幅に亘って設けられるネット状部材２０で構成するようにしてもよい。このネット状部材２０の取り付けは、配電線２よりも下方の位置（上下方向に複数の配電線がある場合であれば、最も下の配電線よりも下方となる位置）と、配電線２よりも上方の位置（上下方向に複数の配電線がある場合であれば、最も上の配電線よりも上方となる位置）において鉛直腕金部５ｂ間にワイヤ１１を張設し、その上下のワイヤ間にネット状部材２０をバインド線などで固定すればよい。
【００３４】
このような構成においては、ネット状部材２０によって樹木４と配電線２との間を遮る障壁が形成されることとなるので、樹木４が生長してもその枝葉が配電線２に接近することがなくなる。
【００３５】
以上の構成においては、Ｌ字状腕金５を、配電線２が取り付けられる箇所よりも下方となる電柱３の位置に水平腕金部５ａを取り付け、この水平腕金部５ａの先端部から上方に向かって鉛直腕金部５ｂを延設させる構成であったが、水平腕金部５ａを配電線２が取り付けられる箇所よりも下方に取り付けにくい場合には、図７に示されるように、配電線２が取り付けられる箇所よりも上方となる電柱３の位置に水平腕金部５ａを取り付け、この水平腕金部５ａの先端部から下方に向かって鉛直腕金部５ｂを延設するようにしてもよい。
尚、その他の構成は上述した構成と同様であるので、同一箇所に同一番号を付して説明を省略する。また、このように鉛直腕金部５ｂが下方に延設される構成においても、図４，５，６の構成を適宜採用してもよい。
【００３６】
尚、上述の例では、架線として配電線２である例を示したが、通信線等の他の架線であってもよい。また、柱状体として電柱である例を示したが、ポールその他の柱状体で構成されるものであっても、上述した構成をそのまま採用可能である。
【符号の説明】
【００３７】
１  枝葉ガード用設置装置
２  配電線
３  電柱
５  Ｌ字状腕金
５ａ  水平腕金部
５ｂ  鉛直腕金部
６  枝葉進入阻止具
１１  ワイヤ
１２  針状形成体
１２ｂ  針状部
１３  張設体
１３ｂ  針状部
２０  ネット状部材
【図１】
2010226908.tif 000003
【図２】
2010226908.tif 000004
【図３】
2010226908.tif 000005
【図４】
2010226908.tif 000006
【図５】
2010226908.tif 000007
【図６】
2010226908.tif 000008
【図７】
2010226908.tif 000009